(57)【要約】      （修正有）【課題】冷却するために極低温流体貯留部と組み合わせた機械式冷凍システムを使用する極低温冷凍機を提供する。【解決手段】極低温冷凍機は、貯蔵空間７２を規定するデュワ４２を特徴とする。貯留部７８は貯蔵空間７２内に位置し、貯蔵空間７２に対して封止されている貯留部内部空間内において極低温液体８２の上方にヘッドスペースを有するように極低温液体８２を含むように構成されている。冷凍モジュール６０は貯留部７８のヘッドスペースと熱交換関係にある。センサは貯留部７８内の温度または圧力を決定するように構成されている。システム制御部はセンサと冷凍モジュール６０に接続され、前記ヘッドスペース内の圧力または温度が上昇した場合に、冷凍モジュール６０が貯留部７８のヘッドスペースに追加の冷却を与えるように調整されるように構成されている。【選択図】図５
2019086213.tif 000002
【特許請求の範囲】
【請求項１】
ａ．貯蔵空間を規定するデュワと、
ｂ．前記貯蔵空間内に位置して、前記貯蔵空間に対して封止されるように構成される貯留部内部空間内において極低温液体の上部にヘッドスペースを有するように極低温液体を含むように構成される貯留部と、
ｃ．前記貯留部の前記ヘッドスペースと熱交換関係にある冷凍モジュールと、
ｄ．前記貯留部内の温度または圧力を決定するように構成されるセンサと、
ｅ．前記センサと前記冷凍モジュールに接続されて、前記ヘッドスペース内の圧力または温度が上昇すると前記貯留部の前記ヘッドスペースに追加の冷却を与えるように前記冷凍モジュールが調整されるように構成されているシステム制御部
を備える、極低温冷凍機。
【請求項２】
前記冷凍モジュールは、前記デュワに取り外し可能に設置されている、請求項１に記載の極低温冷凍機。
【請求項３】
前記冷凍モジュールは、前記貯留部の前記ヘッドスペースと熱交換関係にある低温先端部を含む、請求項１または請求項２に記載の極低温冷凍機。
【請求項４】
前記貯留部は前記貯留部の前記ヘッドスペースと流体連通にある貯留部ネックによって前記デュワの内部に固定され、前記低温先端部は前記貯留部ネック内に位置する、請求項３に記載の極低温冷凍機。
【請求項５】
前記デュワは真空断熱空間を含み、前記真空断熱空間を通り前記貯留部の前記ヘッドスペースと流体連通にある蒸気分岐管をさらに備え、前記低温先端部は前記蒸気分岐管の上部の内部に位置する、請求項３に記載の極低温冷凍機。
【請求項６】
前記冷凍モジュールはアコースティック・スターリング冷凍サイクルを使用する、請求項３から請求項５までのいずれか１項に記載の極低温冷凍機。
【請求項７】
前記冷凍モジュールはハウジングを含む、請求項１から請求項６までのいずれか１項に記載の極低温冷凍機。
【請求項８】
前記冷凍モジュールのハウジングは、前記ハウジングの内部が前記システム制御部を含む前方室と前記冷凍モジュールのモータを含む後方室とを含むようにするための隔壁を含む、請求項７に記載の極低温冷凍機。
【請求項９】
前記ハウジングは、前記前方室の内部に位置する吸気孔と、前記後方室内に位置する排気孔を含み、前記隔壁内に位置して前記吸気孔を通して冷気をハウジング内に引き、前記排気孔を通して前記ハウジングの外に空気を放出するように構成されるファンをさらに備える、請求項８に記載の極低温冷凍機。
【請求項１０】
前記ハウジングの前記後方室の内部に位置して前記排気孔に対向するバッフル壁をさらに備える、請求項９に記載の極低温冷凍機。
【請求項１１】
前記冷凍モジュールは前記吸気孔に隣接するヒートシンクを含む、請求項９または請求項１０に記載の極低温冷凍機。
【請求項１２】
前記ヒートシンクに取り付けられ、前記吸気孔を通して前記ヒートシンクを超えて空気を引くように構成されるファンをさらに備える、請求項１１に記載の極低温冷凍機。
【請求項１３】
前記排気孔は、前記ハウジングの背面パネル内に位置する冷却スロットを含む、請求項９から請求項１２までのいずれか１項に記載の極低温冷凍機。
【請求項１４】
前記デュワに設置されて前記ハウジングの大部分を覆うシュラウドをさらに備える、請求項７から請求項１３までのいずれか１項に記載の極低温冷凍機。
【請求項１５】
前記冷凍モジュールは、取り外し可能に前記デュワと低温先端部に設置されるハウジングを含み、前記貯留部は前記貯留部の前記ヘッドスペースと流体連通である貯留部ネックによって前記デュワの内部に固定され、前記低温先端部は前記貯留部ネック内に位置する、請求項１に記載の極低温冷凍機。
【請求項１６】
前記低温先端部は、前記冷凍モジュールのハウジングが前記デュワから取り外される時に前記貯留部ネックから取り外される、請求項１５に記載の極低温冷凍機。
【請求項１７】
前記デュワは外壁によって囲まれる内壁を含み、真空断熱空間がその間にある、請求項１から請求項１６までのいずれか１項に記載の極低温冷凍機。
【請求項１８】
前記デュワは、アクセス開口部を取り外し可能に覆う蓋をもってアクセス開口部を規定するアクセスネックを含み、前記蓋は天板と、プラグと、ガスケットリングとを含み、前記ガスケットリングは前記蓋が閉鎖状態にある時に前記アクセス開口部が封止されるように前記プラグが前記アクセス開口部に受容される時に前記アクセスネックに係合する、請求項１から請求項１７までのいずれか１項に記載の極低温冷凍機。
【請求項１９】
前記アクセスネックは、前記蓋が閉鎖される形態にある時にガスケットリングによって係合されるガスケットスリーブを含む、請求項１８に記載の極低温冷凍機。
【請求項２０】
前記ガスケットスリーブは前記アクセスネックの内側表面に沿って延び、着氷を前記デュワから取り除くことができるように取り外し可能である、請求項１９に記載の極低温冷凍機。
【請求項２１】
前記システム制御部は、前記ヘッドスペース内の圧力または温度が設定点よりも上昇した時に冷却を増加するように構成されている、請求項１から請求項２０までのいずれか１項に記載の極低温冷凍機。
【請求項２２】
ａ．デュワの貯蔵空間が貯留部によって冷却されるように貯蔵空間の内部に位置する貯留部の内部空間に極低温液体を移送し、前記貯留部の前記内部空間は前記デュワの前記貯蔵空間に対して封止されており、
ｂ．前記極低温液体の上方の前記貯留部のヘッドスペースを冷却し、そして、
ｃ．前記貯留部の温度または圧力が増加する場合に冷却を増強する、
とのステップを含む、デュワの貯蔵空間を冷却する方法。
【請求項２３】
前記ｃのステップは、前記貯留部の温度または圧力が設定点よりも上に上昇した場合に前記ヘッドスペースの冷却を増強することを含む、請求項２２に記載の方法。
【請求項２４】
前記ｂのステップは、アコースティック・スターリング冷凍サイクルを使用して達成される、請求項２２または請求項２３に記載の方法。
【請求項２５】
前記貯留部内の圧力または温度が予め定められたレベルを超えた場合に前記貯留部を排気するステップをさらに含む、請求項２２から請求項２４までのいずれか１項に記載の方法。
【請求項２６】
ａ．元の冷凍モジュールを冷凍機から外し、
ｂ．前記元の冷凍モジュールの低温フィンガーを、加圧下で極低温流体を含む貯留部のネックから取り外し、
ｃ．空気と水分が前記貯留部に入ることを防ぐために極低温蒸気を前記貯留部の前記ネックから排気し、
ｄ．置換冷凍モジュールの低温フィンガーを前記貯留部のネック内に挿入し、そして、
ｅ．前記置換冷凍モジュールを前記冷凍機に固定する、
とのステップを含む、極低温冷凍機の冷凍モジュールを置換する方法。
【請求項２７】
前記元の冷凍モジュールから電源の接続を外し、前記置換冷凍モジュールに電源を接続するステップをさらに含む、請求項２６に記載の方法。
【請求項２８】
極低温液体を前記貯留部に加えるステップをさらに含む、請求項２６または請求項２７に記載の方法。
【発明の詳細な説明】
【技術分野】
【０００１】
本発明は、一般的には、低温で物質を貯蔵するための冷凍機またはデュワに関し、特定的には、冷却するために極低温流体貯留部と組み合わせた機械式冷凍システムを使用する極低温冷凍機に関する。
【背景技術】
【０００２】
生物学的材料を極低温冷凍機内で保存する場合、試料を単一の、制御された温度に維持する要求がある。温度が単一であることに加えて、所望の温度自体は貯蔵される材料のタイプと使用の目的によって変化する。例えば、生物細胞の長期間の保存では、温度を−１６０℃未満に保つことが望ましい。血漿または移植組織の短期間の貯蔵では、要求されるのは−５０℃である。貯蔵の様々な要求に応えるために、極低温冷凍機は２つの別個の経路で展開されてきた。液体窒素（または「ＬＮ２」）による冷却と、機械式冷却である。
【０００３】
従来のＬＮ２極低温デュワは、図１の１０によって概略的に示されており、内側タンク１４を収容する外側シェル１２が特徴である。外側シェルと内側タンクは真空断熱空間１６によって分離されており、取り外し可能な断熱蓋またはフラグ１８が内側タンクの内部にアクセスを許す。いくつかのステンレス鋼の貯蔵ラック（そのうちの１つは２２で図示されている）は、生物学的試料を収容する箱を保持し、デュワの内部に配置される。ラックは、円形の回転トレイ・プラットフォーム２６に載せられる。貯蔵ラック２２にアクセスするためには、使用者は、ハンドル２８を使用してトレイ２６を回転させる。デュワの底には液体窒素（−１９６℃）の溜まり３２があり、デュワ内の生物学的試料を低温に保つ。
【０００４】
図１のデュワ１０では、ラックは液体窒素に直接接触しておらず、液体の上方の蒸気空間内にある。したがってラックの温度は液体窒素からの距離によって変化する。より具体的には、窒素の溜まりに最も近い、ラックの底部付近では最も低い温度であり、一方、溜まりから最も離れたラックの頂部では最も高い温度である。このような貯蔵デュワの初期のものでは、デュワの頂部から底部までの温度差が１００℃になることも珍しくない。
【０００５】
もっと最近のデュワは、ラックに熱伝導材料の使用し、デュワの構造の中で、この温度の層化を最小にし、頂部から底部まで液体窒素溜まりの温度に近づける。このようなデュワの例は一般的にブルックスらに所有される米国特許第６，３９３，８４７号に表されている。ブルックスらの’８４７号特許は、底部の液体の寒剤の溜まりと、円筒状のスリーブを特徴とするターンテーブルまたは回転可能なトレイを有するデュワを開示する。円筒状のスリーブは、トレイ上に貯蔵される生物学的試料から熱を輸送するために液体冷凍剤の溜まりの中に広がるスカートを特徴とする。このような対層化方法は作用するが、デュワの温度は液体窒素温度に近くなる傾向があり、そのようなデュワを長期間の貯蔵の用途に最も適するようにしている。
【０００６】
機械式冷凍機は、家庭用の冷凍機と同じような方法で作用する。電気的に駆動される冷凍システムによって断熱容器が冷却される。極低温液体を冷媒として使用する冷凍システムもある。しかしながら、機械式冷凍機は、冷凍機の断熱と冷凍システムの効率によって達成される温度に限定される。それらは−４０℃から−１００℃の温度範囲で動作する傾向がある。
【０００７】
機械式冷凍機によって示される最大の短所は、動作が電気に依存することである。電力が失われたり、冷凍システムが故障すると、冷凍機は短期間（２日間）で温まる。液体窒素式の冷凍機では、電力が落ちるか、または、液面制御部が故障すると、デュワの底部の窒素の溜まりが典型的には１か月の冷凍を提供する。この理由のために、冷凍機の市場は、低温での貯蔵または高価な材料が冷却される状況では、液体窒素の冷凍機の使用を好む傾向がある。機械式冷凍機は、極端な低温を要求しない、または、容易に代替可能な内容物を冷却する状況で使用される。
【０００８】
従来の液体窒素冷凍機は、単一の、さらに、選択的な温度を維持するための２つの固有の問題を有する。第１に、上述のように、液体窒素冷媒は冷凍機の底部に貯蔵される。低温の気体は温かい気体よりも密度が高いので、底部に窒素溜まりを有る冷凍機は、当然、温度の層化をする傾向がある。冷凍機の内部に入る全ての熱は蒸気を温め、蒸気の密度は小さくなり、頂部に上昇する。大部分の液体窒素冷凍機は頂部開口を有しているので、冷凍機に入った熱の大部分はまず頂部に到達し、底部の液体によって効率よく吸収されない。これが層化の問題に加わる。
【０００９】
第２に、液体窒素は大気圧で貯蔵されるので、その温度は常におよそ−１９６℃である。その結果、もしデュワ内の層化が除かれると、中の温度はおよそ−１９６℃になるだろう。
【００１０】
さらに、液体窒素冷凍機は液体窒素が消費された場合に再充填するシステムを要求する。これは導入の費用を増加させ（すなわち、配管とタンクの資本の費用）、消費される液体窒素の費用も非常に高い。
【図面の簡単な説明】
【００１１】
【図１】先行技術の極低温デュワの側断面図である。
【００１２】
【図２】本開示の極低温冷凍機の１つの実施形態の斜視図である。
【００１３】
【図３】シュラウドを取り除いた図２の冷凍機の上部の前方上面斜視図である。
【００１４】
【図４】図３の上部の背面側の斜視図である。
【００１５】
【図５】図２〜４の冷凍機の側断面図である。
【００１６】
【図６】図５の冷凍モジュールの拡大側断面図である。
【００１７】
【図７】図２〜６の冷凍機の低温冷凍機とハウジングの底部または床パネルの一部の斜視図である。
【００１８】
【図８】図２〜６の冷凍機のシステム制御部によって実行される手順のフローチャートである。
【００１９】
【図９】図２〜６の冷凍機のデュワの内部へのラックの挿入に対する、貯蔵温度、貯留部の圧力と低温冷凍機の電流のグラフである。
【００２０】
【図１０】図２〜６の冷凍機について、低温冷凍機の電源をオフにした状態の時間に対する貯蔵部の温度のグラフである。
【００２１】
【図１１】本開示の極低温冷凍機の第２の実施形態の側断面図である。
【００２２】
【図１２】図１１の冷凍機のデュワの上部の拡大側断面図である。
【発明を実施するための形態】
【００２３】
図２の４０によって本開示の極低温冷凍機の１つの実施形態が全体的に示されている。冷凍機は貯蔵デュワ４２を含む。円筒形状のデュワが図示されているが、デュワは別の形状を備えていてもよい。この技術分野で知られているように、デュワは、外壁／外側スリーブと内壁／内側ジャケットを備え、この２つの間に、真空断熱を与えるために空気が抜かれた空間を有する。アクセスネック４４はデュワの頂部に位置し、デュワの内部貯蔵空間にアクセスされ得るアクセス開口部を規定する。蓋４６はアクセス開口部を覆う。シュラウド４８もまたデュワの頂部に配置され、タッチスクリーンとディスプレイを備える制御パネル５２がアクセスされ視認され得る開口を備える。単なる例示として、シュラウド４８はプラスチックから成型され得る。階段５４は、使用者がアクセスネック４４と制御パネル５２にアクセスすることを可能にする。
【００２４】
シュラウドが取り除かれた図３，４に図示されているように、全体的に６０で示される冷凍モジュールは、全体的に５６で示されるハウジングを含む。図２，３からわかるように、制御パネル５２はハウジングの前面壁５８に設置されている。ハウジングはまた、好ましくは（他の取り付け具も使用され得るが）ねじ６４によって取り付けられる、取り外し可能な側面パネルまたはカバープレート６２を備える。図４に図示されるように、ハウジングの背面パネル６６は、以下に機能性が説明される冷却スロット６８を備える。ハウジングは好ましくは金属によって構成されるが、他の材料も使用され得る。
【００２５】
図５は（図２のシュラウドが取り除かれた）冷凍機４０の断面図を与える。内部貯蔵空間７２はデュワ４２によって規定され、隔壁７４を有する回転ラックまたはターンテーブルを備える。それぞれの隔壁は、ラックの区画内に貯蔵された生物学的試料または他の材料にアクセスできるように、回転ラックまたはターンテーブルハが回転させられ得るようにハンドル７６を備える。
【００２６】
円筒形の貯留部７８は貯蔵空間７２の中央に位置し、極低温液体の上方のヘッドスペースを有して極低温液体８２を保持する貯蔵内部空間８０を規定する。貯留内部空間８０はデュワの貯蔵空間７２に対して封止される（すなわち、この２つの間に流体連通はない）が、貯蔵空間は、好ましくは金属材料によって構成される貯留部の壁を通した熱輸送によって冷却される。単に例示として、極低温液体は液体窒素（ＬＮ２）であり得る。回転ラックまたはターンテーブルの隔壁７４は、ラックがハンドル７６を介して回転させられる時にこれらが貯留部周りに回転するように、切り抜き８４を備える。
【００２７】
円筒形状の貯留部ネック８６は、貯留部７８から上に延び、ヘッドスペースと（貯留部内部空間８０の残りと）流体連通にある下端を備える。貯留部ネック８６の上端は、冷凍モジュール６０の全体的に９０で示される低温ヘッドの低温フィンガーと低温先端部８８を受容する。
【００２８】
図６には冷凍モジュールの拡大図が与えられる。冷凍モジュール６０は、低温先端部８８を冷却するための冷媒として極低温流体を使用する機械式冷凍装置を使用し、以下、「低温冷凍機」と称される。図６，７において、低温冷凍機は全体的に９２で示され、図６に図示されるように、ハウジング５６内に位置する。単に例示として、低温冷凍機は、アコースティック・スターリング（「パルス管」）冷凍サイクルを使用し得、ジョージア州ボールグラウンドのチャート  インダストリーズ、インコーポレイテッドから入手可能なＱＤＲＩＶＥ低温冷凍機であり得る。
【００２９】
図６，７に図示されているように、低温冷凍機９２は、輸送ライン９８を介して熱遮断コア９６に接続される圧力波生成器９４を含み得る。全体的に９０で示される低温ヘッドは、熱遮断コア９６から下方に延び、低温先端部８８内で終わる低温フィンガー１００を含む。１組のヒートシンク１０２ａ，１０２ｂは、熱遮断コア９６の反対側に位置し、電動ファン１０４ａ，１０４ｂを備える。コンプライアンスタンク１０６は、これも低温ヘッド９０に接続されるコイル状のイナータンス管を含む。操作において、電動往復式リニアモータを含むパルス幅生成器９４は、ヘリウムガスの圧力波またはパルスを熱遮断コア９６に与える。熱遮断コア内の気体の（熱がヒートシンク１０２ａ，１０２ｂを通して引かれる）冷却と、（コンプライアンスタンク１０６内の）イナータンス管内の仮想的なピストン効果を介した低温ヘッド９０内の気体の膨張を通して、冷却が低温先端部８８に与えられる。
【００３０】
上述の低温冷凍機９２の実施形態のさらなる詳細は、いずれもここに全体が参照として組み込まれるＳｐｏｏｒらの米国特許第７，６２８，０２２号と、Ｃｏｒｅｙらの米国特許出願公開第２０１５／００３３７６７号に見いだされ得る。
【００３１】
本技術において知られる別の冷凍サイクルを使用する別の型の機械式冷凍装置は、図５〜７の低温冷凍機９２の代わりに使用され得る。
【００３２】
図５に図示されるように、下部管１０８は極低温貯留部７８の底部に接続され、これもまたＬＮ２充填ポート／接続部に接続される図４の充填弁１１２に向かう。図５において１１４で図示される上部管は、貯留部のヘッドスペース、貯留部排気弁（図４の１１６）、安全噴出またはバースト弁（図４の１１８）、周辺圧力リード（図４の１２０）に接続する。極低温貯留部７８の再充填の間、ＬＮ２源は充填ポート／接続部に接続され、充填弁（図４の１１２）と貯留部排気弁（図４の１１６）が開かれる。その結果、貯留部は下部管１０８を介して底部からＬＮ２で充填される。貯留部７８がＬＮ２の適切な液位まで充填されると、弁が閉じられ、ＬＮ２源の接続が外される。
【００３３】
図６を参照して、電子機器１２２もまた冷凍モジュール６０のハウジング５６内に配置され、絶対圧力センサ、差圧センサ、システム制御部を含む。システム制御部は、マイクロプロセッサまたは電子プログラム可能な装置であり、２つの圧力センサから信号を受信するために、絶対圧力センサと差圧センサに接続される。絶対圧力センサは上部管１１４（図５）に接続され、貯留部７８内の絶対圧力、すなわち、貯留部７８のヘッドスペース内の圧力から図４の周辺圧力リード１２０からの周囲の圧力を差し引いた圧力を決定する。
【００３４】
電子機器１２２の差圧センサは下部管１０８と上部管１１４に接続し、受信された貯留部ヘッドスペースと（液体の）底部の圧力を用いて、貯留部内の液位を計算する。このような差圧液位センサは本技術において知られている。差圧センサを介して、貯留部７８内の極低温液体の液位が予め定められた液位よりも下に落ちたことをシステム制御部が検知した場合、貯留部の再充填が必要であることを使用者に示す警報が鳴らされる。
【００３５】
さらに、温度センサはデュワの貯蔵空間内に配置され、貯蔵空間内の温度が制御パネルに表示されるように、（図２，３の制御パネル５２にも通じる）システム制御部に接続され得る。さらなる温度センサは貯蔵空間内に配置され得、外部機材またはシステムのための接続を提供し得る。
【００３６】
システム制御部の残りの機能性はここで説明される。
【００３７】
制御手法
【００３８】
システム制御部（図６の電子機器の一部）によって実行される動作制御の目的は、図５を参照して、デュワ４２の貯蔵空間７２の変化する熱負荷に対して、それらの間の液体貯留部７８を介した低温冷凍機９２による対応する熱抽出または冷却／冷凍のレベルの応答によって応え、それによって、最小の貯蔵空間内の温度変化で、貯留部の内容物の減少を少量から無しにして、貯蔵空間内の低温を維持することである。
【００３９】
上記を達成するために、システム制御部は図８に図示される処理を実行する。図８のブロック１３２によって示されるように、システム制御部はまず貯留部（図５の７８）内の流体の状態を測定する。貯留部は、主に液体を含むが、その上方のヘッドスペースに蒸気も含む。貯留部は密閉され、密閉容器内で実質的に飽和平衡にあるので、一方の測定が他方を適切に示すように、物理法則が温度と圧力を関係付ける。断熱を通した通常の漏れ、アクセスネックの開口部、または、貯蔵空間よりも温かい材料の挿入によって、貯蔵空間に熱が加えられると、熱は貯留部内の極低温液体によって吸収される。このことは、貯留部内のＬＮ２と関連付けられた蒸気の温度と圧力をわずかに上昇させる。同様に（通常ではないが）、もし貯蔵空間の残りよりも初期温度が低い物体が挿入されると、冷却効果が貯留部を冷却し、その温度と圧力をわずかに減少させる。安価な圧力センサの正確性と信頼性は安価な温度センサに比べてずっと大きいので、一般的には貯留部内の状態の変化を圧力の変化として測定することが好ましい。
【００４０】
絶対圧力センサの読みは、それを、貯蔵空間に所望される予め選択された設定点温度（図８のブロック１３４）と比較するシステム制御部に与えられる。外部周辺から貯留部への貯蔵空間を介した定常状態での熱の漏洩を考慮するために、小さな統計的な差異が定義され得る。意図される差異を考慮した貯留部の読みと設定点との差は、（本技術においてよく知られている）従来の比例積分制御アルゴリズムに入力され、図８のブロック１３６で示されるように、逸脱を減少させて除くために、電圧がモータの電力を調整し、それによって冷凍機の冷却能力を調整する低温冷凍機（図５〜７の９２）のモータに電圧を出力する。すなわち、冷凍機は、液体によって吸収された、加えられた熱が貯留部の圧力を上昇させると、定常状態の動作レベルよりも大きな電圧を受け、先の定常状態が回復されるまで、電圧は通常よりも高いままである。
【００４１】
貯留部内の上昇した圧力は、そこの液体がいくらか沸騰して蒸気になっていることを意味するが、貯留部の内容物は通常の状態では失われない。（断熱の故障のような）異常な量の加熱が低温冷凍機を圧倒し得る緊急状態、または、拡張された、処理されていない冷凍機の故障の場合に、蒸気を逃がすために、貯留部には、安全放出装置（図４の安全噴出またはバースト弁１１８）が付けられている。しかし、通常の操作状態では、通常の目標圧力は実質的に安全放出圧力よりも低い。例えば、冷凍機の目標操作圧力は、安全放出を４０ｐｓｉｇとして、約２５ｐｓｉｇに設定され得る。１５ｐｓｉの差は、酸素（貯留部内の好ましい種類）の飽和温度の９０から９７Ｋ（−１８３℃から−１７６℃）への上昇に対応し、氷のガラス転移点である約１３６Ｋ（−１３７℃）とされる一般的に生物学的材料の安全な長期間の貯蔵温度よりもまだずっと低い。別の例では、冷凍機は２２ｐｓｉｇの設定点と、５０ｐｓｉｇの安全圧力放出設定を有し得る。
【００４２】
制御アルゴリズムの比例定数は、好ましくは、約５ｐｓｉの逸脱範囲で、冷凍機に満（最大）容量）をもたらすように設定される。この最大冷却容量は、定常状態の熱漏洩の約２倍である。したがって、通常の操作では、冷凍機は、（新しい物質の導入によって）熱が加えられた後、安全な圧力限界を超えることなく通常の状態を回復するために十分以上の容量を有する。
【００４３】
２つの温かいラックの挿入に対する、貯蔵部の温度のグラフ、貯留部の圧力、低温冷凍機の（適用された電圧に応答する）電流が図９に示され、制御システムの機能と性能が図示されている。
【００４４】
この制御システムの留意すべき利点は以下を含む。
【００４５】
（１）通常の操作状態では冷媒の消費または置換の必要がない。
【００４６】
（２）（低温冷凍機を動作させる）電力の消費は要求に合っており、それによって、スタート・ストップ・サイクルと合計のエネルギーの使用を最小化する。
【００４７】
（３）スタート・ストップ冷却よりも調整された冷却が、貯蔵された物質での熱の逸脱を最小化し、冷凍焼け効果を最小化することによってその使用可能な寿命を拡張する。
【００４８】
（４）液体がまず安全放出圧力まで上昇し、そしてその後に完全に沸騰して、重大な温度上昇が起きる前に排気されなければならないので、断熱、電力供給、冷凍機の故障の場合の貯蔵された物質にとって安全である。このようなことは、図１０に与えらえたグラフに図示されているように、冷凍機の電源を切った時の貯蔵部の温度を監視することによって示されている。
【００４９】
冷凍モジュールの変更のための工程
【００５０】
上述のように、冷凍機の実施形態は、極低温流体（典型的には液体窒素または酸素）のための中央の貯留容器を有する真空断熱容器（デュワ）と、図３〜６の６０で示される、貯留部の内容物を処理し冷却する冷凍モジュールを含む。貯留部（図５の７８）を有する冷凍モジュール６０とそのインタフェイスは、冷凍機の製造、使用、現場での修理において利点を有し、独特で新規である。
【００５１】
運転中、本開示の冷凍機は、約１３５Ｋより高い温度への短時間の曝露によってさえも悪くなる、または、破壊される、非常に価値のある（そしてしばしば置換できない）生物学的材料を貯蔵するために使用される。先行技術の冷凍機において冷凍に失敗があれば、解放空気中での着氷を最小にし、材料の損傷を避けるために、そのような材料を故障した冷凍機から別のものに（もし十分な空間が利用可能であれば）素早く移動させる必要がある。これは危険を伴う過程であり、材料と労働者の双方にとって面倒でリスクがあり、必ずしも成功しない。
【００５２】
図２〜６の冷凍機とその独特の冷凍モジュール６０によって、貯蔵された材料に接することまたは移動させることさえなく、修理と完全な冷却の回復が可能である。そのような修理の流れは以下の通りである。
【００５３】
（１）冷凍が失敗する（機械的または電気的な故障）
【００５４】
（２）警報信号が使用者に問題を警告する。使用者は置き換えを求める。
【００５５】
（３）貯蔵部の断熱を通した熱漏洩が続くため、貯留部の圧力がゆっくりと上昇し始める。
【００５６】
（４）現場に新しい冷凍モジュールが到着する。
【００５７】
（５）モジュールから電源の接続が外される。
【００５８】
（６）貯留部を大気圧に排気するために貯留部放出弁（図４の１１６）が人手で開放される。（冷媒がいくらか失われるが、排気による冷却効果は、損失を、例えば２２と５０ｐｓｉｇの間の当初圧力に応じて７〜１２％に少量に最小化する。）
【００５９】
（７）カバー板（図３，４の６２）が冷凍モジュールのハウジング（図３，４の５６）から取り除かれ、低温冷凍機をデュワに取り付ける固定具が露出される。
【００６０】
（８）貯留部の低温フィンガーのフランジ（図６の１４２）と冷凍モジュール支持ブラケット（図６の１４４）の両方において、ねじが低温冷凍機−デュワの取り付けから取り除かれる。他の実施形態ではもちろんねじ以外の固定具が使用され得る。
【００６１】
（９）故障した冷凍モジュールがデュワから外され、現場外での修理のために横に置かれる。
【００６２】
（１０）貯留部は、低温フィンガーが取り除かれて開放されたネックフランジから蒸気を排出し続ける。この排気は、今や密閉されていない貯留部が開放されている間、空気と水分が貯蔵部に入ることを防ぐ。
【００６３】
（１１）新しいモジュールが低温フィンガーのフランジ上の新しいガスケットとともに位置に設置される。
【００６４】
（１２）ブラケットを支持するために低温フィンガーを貯留部とモジュールに対して封止するためのねじが元の位置に戻される。
【００６５】
（１３）電源が再度取り付けられ、冷凍機の操作が開始され、確認される。
【００６６】
（１４）モジュールのカバー（図３，４のパネル６２）が元の位置に戻される。
【００６７】
貯留部の放出弁（図４の１１６）が閉じられる。
【００６８】
（１５）必要であれば、失われた極低温液体が元に戻される。（場合によっては、これは、例えば中断時間が３〜５日よりも少ない場合には、後になされ得る。）
【００６９】
（１６）冷凍機内の試料の取り扱いや重大な温度の上昇なく、冷凍機が使用者の運転に戻される。
【００７０】
（１７）故障したモジュールが修理工場への搬送のために包装される。
【００７１】
比較すると、先行技術の機械式冷凍機は、機械的または電気的な故障が生じた場合、貯蔵されている材料の除去と再配置と、冷媒の除去と再充填を含む広範囲な分解を必要とする。貯蔵された材料への危険に加えて、このような輸送は、使用者によって注意深く代替の場所を調整し、関係するそれぞれの材料の記録を取り、これらの材料を動かし、後に戻し、そして、工程を通して最高温度の限界が超えられないことを仮定するために費やされる考慮すべき時間を必要とする。特に、このような故障は、従来の機械式冷凍機では、典型的には数年ごとに生じる。
【００７２】
ノイズと電磁干渉に対する上部筐体の利点
【００７３】
上述のように、本開示の冷凍機の実施形態は、ノイズと電磁干渉（ＥＭＩ）輻射（このような輻射はすべての電気的機械的装置において典型的である）を処理するために、筐体の２つの層を有する上部筐体を含み得る。
【００７４】
より具体的には、まず、上述され、図５，６に図示されているように、低温冷凍機、システム制御部と関連付けられた熱交換器とファンを含む冷凍機の機材は、好ましくは金属によって構成されるハウジング５６内に封入されている。ハウジングはＥＭＩ輻射を低減する。図４に図示し、上に記載したように、ハウジングの背面パネル６６は気流を冷却するために冷却スロット６８を備える。図６の１４８によって示されるバッフル壁は、ハウジング５６内に配置され、スロットを通過するノイズとＥＭＩ輻射を低減するために、冷却スロットをじゃまをするように冷却スロットに対向する。別の空気排気孔の構成は冷却スロット６８のに替えられ得ることに留意されるべきである。
【００７５】
筐体の第２の外側の層は、図２のシュラウド４８によって与えられる。シュラウド４８は、好ましくは高分子材料によって形成され、低温冷凍機とファンの音響放射を包み、内部に反響させる効果を有する。シュラウドはまた美観の向上を与える。
【００７６】
ハウジング５６を通って流れる冷却空気は、使用者から離れるようにハウジングの背面から放出され、それによって、使用者によって経験される騒音のレベルをさらに低減する。より具体的には、ハウジングは図５〜７において１５２で示される床パネルを備える。図７に示されるように、１組の吸気孔１５４ａ，１５４ｂは低温冷凍機のヒートシンク１０２ａ，１０２ｂの下に配置されている。ヒートシンクのファン１０４ａ，１０４ｂは、動作中、矢印１５６ａ，１５６ｂで示すように、空気が吸気孔１５４ａ，１５４ｂを通ってハウジング内部に引かれるように構成される。
【００７７】
図６を参照して、隔壁１６２はハウジング内で床から天井まで、そして、壁から壁まで延びる。図６において１６４で示される電動式ファンは隔壁内に設置され、図６の矢印１７２によって示されるように、空気を前方室１６６から後方室１６８に向かって、最終的にはハウジングの冷却スロット６８（図４）から外に出るように吹くように構成される。その結果、冷却気体は電子機器１２２を超えて流れる。さらに、隔壁はハウジングの後方室１６８から前方室１６６に戻る空気の再循環を防ぎ、低温冷凍機のパルス波発生モータ９４からから冷凍機の前へのノイズの移動が低減される。隔壁１６２は好ましくはファン１６４を収容するくぼみと開口を有する発泡体の層を含む。
【００７８】
対着氷特性
【００７９】
上述の冷凍機の実施形態は、類似の真空断熱デュワの構造（典型的には貯蔵空間の底部の開放された溜まりの液体窒素の損失によって冷却される）を使用する先行技術の冷凍機と異なり、そのような窒素蒸気がなく、貯蔵空間は、湿度が示す水分を含む通常の空気によって満たされる。さらに、冷凍機の操作の間、それぞれのアクセス開口部によって新しい空気とさらなる水分がデュワの貯蔵空間内に導入され得る。貯蔵空間内の低温のために、このような水分は急速に凍結し、時間が経つと、過度の量に積層し得、貯蔵される材料の取扱いを妨害する。冷凍機は任意で着氷を処理するための緩和機能を含み得る。
【００８０】
図５を参照して、また、先に記載したように、蓋４６はアクセスネック４４のアクセス開口部を封止する。蓋４６は、プラグ１７６を取り付けられる円筒状の天板１７４を含む。単に例示として、蓋の天板１７４はプラスチックによって構成され得、プラグ１７６は発泡体またはコルクによって構成され得る。プラグは、アクセスネック４４の内表面と係合するように大きさを決められ得る実施形態もある。
【００８１】
環状の縁が天板１７４の下面上に形成され、プラグ１７６の上端を囲み、図５において１８２で示されるガスケットリングは、環状リムの下に配置される。蓋が閉鎖状態にある場合、ガスケットリング１８２はアクセスネックの側壁の上端に係合する。ネックはまた、全周がアクセスネック４４の側壁上端に折り重なる（ゴムまたはシリコーンの筒状の）スリーブの形態のガスケットを与えられ得る。さらに、蓋４６とアクセスネック４４は、閉塞時にプラグ−ネックの結合を確実にするために、アクセスネックの側壁の上端に対してガスケットリングを下に引くラッチを与えられ得、それによって、デュワが閉塞された時、貯蔵空間への空気と水分の流れを遮る。
【００８２】
プラグが取り外される時（流入する空気によって遭遇される最初の低温表面）にアクセスネックの内側に氷が最も形成されそうであるとすると、ネックは、円筒状のスリーブ様の、シリコーンのような柔軟な、氷に非親和性の材料によって形成される（少なくともアクセスネックの内表面の一部を覆う）裏地を着けられ得る。氷はまだそこに形成されるだろうが、周期的に、（上述のようにアクセスネックの側壁の上部においてガスケットを封止する一部であり拡張部として形成される）スリーブは氷とともに持ち上げられ、家庭用の製氷器のように曲げられ、デュワから氷を開放し、氷のない状態でネック内の元の位置に戻され得る。
【００８３】
さらに、貯蔵空間内のターンテーブルは、ターンテーブルの隔壁（図５の７４）の上部から吊るされる軽量の裏地を付けられ得、それぞれの区画に貯蔵される材料が配置される空間を含む、取り外し可能な袋のような要素を提供し得る。再び、周期的に、これらの裏地の袋は、取り外され、新しい、乾燥したもの、または、一度乾燥された元のものに置換されることができる。このような裏地の概念の１つの変形例は、ターンテーブルから離れるが、水蒸気を中に引き付け捉える防湿剤が注入された内側表面を有するシリコーンの外側表面を有する裏地を提供することである。
【００８４】
図７を参照して、低温フィンガーの最も低温の部分は低温先端部８８であり（すなわち、低温フィンガーの下端）、低温フィンガーの最も温かい部分は上端であることによって、低温フィンガー１００に温度勾配が存在する。図５に図示された冷凍機の実施形態では、低温フィンガーは貯留部ネック８６内に位置する。その結果、低温フィンガーの最も温かい部分は貯留部ネック８６の内側に位置し、貯留部とデュワの貯蔵空間へのさらなる熱の漏洩が与えられる。図１１において全体が２００で示される別の冷凍機の実施形態においては、蒸気分岐管２０２が冷凍機の貯留部ネック２０３と流体連通にあり、デュワの上部において（図１２にまた示される）真空空間２０４を通過する。その結果、図１２に図示されるように、低温冷凍機の低温フィンガー２０６は、低温先端部２０８だけが蒸気分岐管２０２内に配置されて真空空間２０４によって囲まれる。その結果、低温フィンガー２０６の最も温かい部分から貯留部とデュワの貯蔵空間への熱輸送は仮想的に排除され、このことは、冷凍機の効率を高める。図１１，１２の冷凍機のその他の詳細と要素は、図５の実施形態についての上の記載と同一または類似である。
【００８５】
本開示の好ましい実施形態が示され説明されたが、当業者にとって、本開示の精神から逸脱することなく、そこに変更と変形がなされ得ることは明らかであり、本開示の範囲は以下の特許請求の範囲によって規定される。
【図１】
2019086213.tif 000003
【図２】
2019086213.tif 000004
【図３】
2019086213.tif 000005
【図４】
2019086213.tif 000006
【図５】
2019086213.tif 000007
【図６】
2019086213.tif 000008
【図７】
2019086213.tif 000009
【図８】
2019086213.tif 000010
【図９】
2019086213.tif 000011
【図１０】
2019086213.tif 000012
【図１１】
2019086213.tif 000013
【図１２】
2019086213.tif 000014
【外国語明細書】
2019086213000001.pdf
2019086213000002.pdf
2019086213000003.pdf
2019086213000004.pdf